(57)【要約】【課題】ユーザに撮影時と同じ体勢をとらせ臨場感あふれる再生を行うこと。【解決手段】画像取得部１０１の画像データ取得時に姿勢取得部１０５により取得した機器の姿勢情報、カメラのズーム値、位置情報を記憶部２０に記録し、そのデータの再生時に記録された機器の姿勢情報、ズーム値、位置情報を利用して、機器がデータ取得時と同じ状態になったときに画像表示部１０４は表示部１８に表示する。【選択図】図１
2007208596.tif 000002
【特許請求の範囲】
【請求項１】
データ取得時に機器の姿勢情報、カメラのズーム値、位置情報を記録する手段と、
そのデータの再生時に記録された機器の姿勢情報、ズーム値、位置情報を利用して、機器がデータ取得時と同じ状態になったときにデータ出力する手段と
を備えることを特徴とするデータ再生機器。
【請求項２】
前記データは画像データであり、拡大表示時にもカメラの姿勢情報を利用して閲覧することで直感的に表示範囲の移動を行うことを特徴とする請求項１記載のデータ再生機器。
【請求項３】
前記データと、前記姿勢情報および位置情報とをまとめたデータをコンテンツとして配布することを特徴とする請求項１または２記載のデータ再生機器。
【請求項４】
データ取得時に機器の姿勢情報、カメラのズーム値、位置情報を記録するステップと、
そのデータの再生時に記録された機器の姿勢情報、ズーム値、位置情報を利用して、機器がデータ取得時と同じ状態になったときにデータ出力するステップと
を有することを特徴とするデータ再生方法。
【請求項５】
前記データは画像データであり、拡大表示時にもカメラの姿勢情報を利用して閲覧することで直感的に表示範囲の移動を行うことを特徴とする請求項４記載のデータ再生方法。
【請求項６】
コンテンツとして配布されるデータ取得時の機器の姿勢情報、カメラのズーム値、位置情報を記録したデータを取得するステップと、
前記データの再生時に記録された機器の姿勢情報、ズーム値、位置情報を利用して、機器がデータ取得時と同じ状態になったときにデータ出力するステップと
を有することを特徴とするデータ再生方法。
【請求項７】
コンピュータを、
データ取得時に機器の姿勢情報、カメラのズーム値、位置情報を記録する手段と、
そのデータの再生時に記録された機器の姿勢情報、ズーム値、位置情報を利用して、機器がデータ取得時と同じ状態になったときにデータ出力する手段として機能させることを特徴とするプログラム。
【請求項８】
前記データは画像データであり、拡大表示時にもカメラの姿勢情報を利用して閲覧することで直感的に表示範囲の移動を行わせることを特徴とする請求項７記載のプログラム。
【請求項９】
前記データと、前記姿勢情報および位置情報とをまとめたデータをコンテンツとして配布させることを特徴とする請求項７または８記載のプログラム。
【発明の詳細な説明】
【技術分野】
【０００１】
本発明は、機器が撮影時と同じ姿勢となる状態で該当データを画面内に表示する技術に関する。
【背景技術】
【０００２】
従来、カメラを搭載し画像を撮影できるデータ再生機器は、表示装置も搭載しており、撮影画像を閲覧することが可能であった。
【０００３】
この撮影画像の閲覧は、１枚ずつの表示、サムネイル表示など単純な表示手法によるものであった。
【０００４】
ここで、デジタルカメラに、ＧＰＳ衛星から電波を受信するアンテナと、アンテナで受信した電波から現在の撮影位置と撮影高度とを解析するＧＰＳ受信部と、撮影方位を計測する方位センサと、撮影仰角を計測する仰角センサとを設け、計測した撮影位置と撮影高度と撮影方位と撮影仰角と、撮影画角および露出を決定する撮影条件データとを画像データに付加して、メモリカードに記憶して、過去に行なった撮影と同一の撮影位置および撮影条件で撮影を行う場合には、メモリカードから参照する画像データを読み出し、ＬＣＤに参照データの画像と、スルー出力中の画像と、撮影位置、撮影高度、撮影方位、撮影仰角に対する、参照データと計測中のデータとの誤差データとを表示することで、同一の撮影位置および撮影条件で撮影を行うことのできる撮影システムを提供する技術が提案されている（例えば、特許文献１参照）。
【特許文献１】特開２００４−８０３５９号公報
【発明の開示】
【発明が解決しようとする課題】
【０００５】
しかしながら、上述した従来例においては次のような問題点があった。
【０００６】
１枚の写真を撮影し、時間をおいてから表示する場合に、例えば、建物を下から見上げて撮影したとき、再生時にも同じように機器をかざして見上げることにより、臨場感あふれる再生を行い、さらにその結果、撮影時の記憶を鮮明に再現させることが困難であった。
【０００７】
本発明は、以上説明した事情に鑑みてなされたものであり、その目的は、ユーザに撮影時と同じ体勢をとらせ臨場感あふれる再生を行うことにある。
【課題を解決するための手段】
【０００８】
本発明の請求項１記載の発明は、データ取得時に機器の姿勢情報、カメラのズーム値、位置情報を記録する手段と、そのデータの再生時に記録された機器の姿勢情報、ズーム値、位置情報を利用して、機器がデータ取得時と同じ状態になったときにデータ出力する手段とを備えることを特徴とするデータ再生機器である。
【０００９】
本発明の請求項２記載の発明は、請求項１記載のデータ再生機器において、データは画像データであり、拡大表示時にもカメラの姿勢情報を利用して閲覧することで直感的に表示範囲の移動を行うことを特徴とする。
【００１０】
本発明の請求項３記載の発明は、請求項１または２記載のデータ再生機器において、データと、姿勢情報および位置情報とをまとめたデータをコンテンツとして配布することを特徴とする。
【００１１】
本発明の請求項４記載の発明は、データ取得時に機器の姿勢情報、カメラのズーム値、位置情報を記録するステップと、そのデータの再生時に記録された機器の姿勢情報、ズーム値、位置情報を利用して、機器がデータ取得時と同じ状態になったときにデータ出力するステップとを有することを特徴とするデータ再生方法である。
【００１２】
本発明の請求項５記載の発明は、請求項４記載のデータ再生方法において、データは画像データであり、拡大表示時にもカメラの姿勢情報を利用して閲覧することで直感的に表示範囲の移動を行うことを特徴とする。
【００１３】
本発明の請求項６記載の発明は、コンテンツとして配布されるデータ取得時の機器の姿勢情報、カメラのズーム値、位置情報を記録したデータを取得するステップと、データの再生時に記録された機器の姿勢情報、ズーム値、位置情報を利用して、機器がデータ取得時と同じ状態になったときにデータ出力するステップとを有することを特徴とするデータ再生方法である。
【００１４】
本発明の請求項７記載の発明は、コンピュータを、データ取得時に機器の姿勢情報、カメラのズーム値、位置情報を記録する手段と、そのデータの再生時に記録された機器の姿勢情報、ズーム値、位置情報を利用して、機器がデータ取得時と同じ状態になったときにデータ出力する手段として機能させることを特徴とするプログラムである。
【００１５】
本発明の請求項８記載の発明は、請求項７記載のプログラムにおいて、データは画像データであり、拡大表示時にもカメラの姿勢情報を利用して閲覧することで直感的に表示範囲の移動を行わせることを特徴とする。
【００１６】
本発明の請求項９記載の発明は、請求項７または８記載のプログラムにおいて、データと、姿勢情報および位置情報とをまとめたデータをコンテンツとして配布させることを特徴とする。
【発明の効果】
【００１７】
本発明によれば、ユーザに撮影時と同じ体勢をとらせ臨場感あふれる再生を行うことができる。
【発明を実施するための最良の形態】
【００１８】
以下、本発明の第１の実施の形態について図面を参照して詳細に説明する。
【００１９】
図１を参照すると、本実施の形態における、データ再生機器は、プログラム制御により動作する演算回路（１０）と、カメラ（１１）と、カメラ制御部（１２）と、加速度センサ（１３）と地磁気センサ（１４）と、センサ制御部（１５）と、キー操作部（１６）と、キー入力制御部（１７）と、表示部（１８）と、表示制御部（１９）と、記憶部（２０）から構成されている。
【００２０】
演算回路（１０）は、画像取得部（１０１）と、姿勢取得部（１０２）と、データ保存部（１０３）と、データ読出部（１０４）と、画像表示部（１０５）を含む。これらの各部はそれぞれ概略以下のように動作する。
【００２１】
画像取得部（１０１）は、カメラ制御部（１２）によって取得されたカメラ（１１）の画像を、ユーザの操作に従って取得する。また、撮影時のカメラのズーム値も同時に取得する。
【００２２】
姿勢取得部（１０２）は、センサ制御部（１５）を介して加速度センサ（１３）と地磁気センサ（１４）の値を得て、その値を元にデータ再生機器の姿勢を計算する。
【００２３】
ここで、データ再生機器の姿勢について図２を参照して説明する。０を原点とし、カメラの光軸ベクトルＣを機器の姿勢の基準とする。光軸ベクトルＣを原点０を含む水平面に投影したベクトルＣ´が、水平面上の北を指すベクトルＮとなす角をαとする。ベクトルＣ´とベクトルＣがなす角をβとする。ベクトルＣと直交する平面上にて、撮影画面の垂直線と、ベクトルＣとベクトルＣ´と交わる直線がなす角をγとする。姿勢取得部（１０２）は、姿勢情報としてα、β、γの角度を取得する。
【００２４】
データ保存部（１０３）は、画像取得部（１０１）と姿勢取得部（１０２）で得られた、画像データ、ズーム値、姿勢情報α、β、γを一纏めにして記憶部（２０）に保存する。
【００２５】
データ読出部（１０４）は、データ保存部（１０３）が記憶部（２０）に保存したデータを読み出す。
【００２６】
画像表示部（１０５）は、キー入力制御部（１７）から得られたキー入力情報および姿勢取得部（１０２）から得られた姿勢情報を利用し、データ読出部（１０４）で読み出した画像を、表示制御部（１９）を介して表示部（１８）に表示する。
【００２７】
具体的には、データ再生機器を中心とした球面座標を定義し、その空間上に、画像撮影時に姿勢取得部（１０２）で得られた姿勢α、β、γで決定される角度へ、撮影時のズーム値に相当する中心からの距離に、画像の法線が座標中心を向くように画像を貼り付ける。その空間に対し、姿勢取得部（１０２）で得られる画像表示時の姿勢ベクトルＤと同じ方向の画像を表示部（１８）に表示する。
【００２８】
図３を参照すると、実線で示した複数の撮影画像が存在し、点線で示す画像表示部分には複数の画像の一部が表示されている。特定の画像を閲覧したい場合は、携帯端末の姿勢を該当画像の方向に向けることで画面表示部分の中心に該当画像が表示される。また、キー操作部（１６）でズームイン、ズームアウトの操作を行うことにより、画面表示部分の画角を小さく、または大きくすることにより、表示画像の拡大、縮小を行うこともできる。
【００２９】
図４は本実施の形態における、データ再生機器の外観の例を示す。本発明に関わるデバイスとして、カメラ（１１）、キー操作部（１６）、表示部（１８）がある。
【００３０】
次に、図５のフローチャートおよび図１、図４を参照して本実施の形態の画像撮影の処理動作について詳細に説明する。
【００３１】
本機能が開始されると、まず、ステップＳ０１で、カメラ制御部（１２）を用いてカメラ（１１）でプレビュー画像を取得し、プレビュー画像を表示部（１８）へ表示する。
【００３２】
次に、ステップＳ０２で、ユーザによりシャッターボタンが押された場合は、ステップＳ０３に進み、シャッターボタンが押されていない場合はステップＳ０１に戻る。
【００３３】
ステップＳ０３で、カメラ制御部（１２）から撮影した画像と撮影時のカメラのズーム値を取得する。
【００３４】
ステップＳ０４で、姿勢取得部（１０２）により機器の姿勢情報を取得する。
【００３５】
ステップＳ０５では、ステップＳ０３とステップＳ０４で得られた情報を記憶部（２０）に保存する。
【００３６】
次に、図６のフローチャートおよび図１、図３、図４を参照して本実施の形態の画像表示の処理動作について詳細に説明する。
【００３７】
ステップＳ１１では、表示するすべての画像の姿勢情報、ズーム値を読み込む。
【００３８】
ステップＳ１２では、姿勢取得部（１０２）により機器の姿勢情報を取得する。
【００３９】
ステップＳ１３では、キー入力制御部より、ユーザによるズーム操作を取得し、表示のズーム値を変更する。
【００４０】
ステップＳ１４では、ステップＳ１２、ステップＳ１３で得られた機器の姿勢情報およびズーム値から、図３の点線で示される画面表示部分の領域を計算し、その領域に一部でも含まれる画像をリストアップする。
【００４１】
ステップＳ１５では、ステップＳ１４でリストアップされた画像データを記憶部（２０）から読み込む。
【００４２】
ステップＳ１６では、ステップＳ１５で読み込まれた画像を、画像の姿勢情報とズーム値に従って、表示制御部（１９）を介して表示部（１８）に表示する。
【００４３】
ステップＳ１７でユーザのキー操作によって終了指示がある場合は終了し、そうでない場合はステップＳ１２に戻る。
【００４４】
上記のように、カメラ撮影時に、画像と同時に機器の姿勢とズーム値を保存し、表示時に同じ姿勢とズーム値を取った場合に撮影画像を表示することにより、撮影したときの空間的情報を画像閲覧時に再構成して体感することが可能となる。
【００４５】
上述した本実施の形態によれば、１枚の写真を撮影し、時間をおいてから表示する場合に、カメラ撮影時の機器の姿勢情報を画像と同時に保存しておき、画像再生時に同じ姿勢をとったときに表示するようにすることにより、ユーザは撮影時と同じ体勢をとることを求められ、その結果、撮影時の記憶を鮮明に再現できる。例えば、建物を下から見上げて撮影した場合、再生時にも同じように機器をかざして見上げることにより、臨場感あふれる再生ができる。
【００４６】
また、同じ位置で方向を変えて複数枚の写真を撮影したものを再生する場合、機器を持ってユーザが体の向きを変えることにより表示される画像も撮影時の方向と一致するため、その場にいるかのような臨場感あふれる再生環境を提供することができる。
【００４７】
また、撮影場所と同じ場所で、時間が経過してから再生を行うと、その場所で起こった過去の出来事を現在の状況と重ねて閲覧できる。すなわち、その空間の時間経過を体感できる。
【００４８】
また、画像拡大表示時に従来は上下左右の方向キーで表示部分を移動していたのに対し、機器の向きを移動させることで直感的な拡大画像閲覧ができるようになる。
【００４９】
次に、本発明の第２の実施の形態について説明する。
【００５０】
上記の第１の実施の形態とは異なり、撮影時にさらに撮影時刻を記録し、再生時に撮影時刻により表示画像を制限し、キー操作部（１６）での時間方向の移動を行うことで同じ方向の重なった画像を順次表示する。
【００５１】
次に、本発明の第３の実施の形態について説明する。
【００５２】
本実施の形態では、図６のフローチャートのステップＳ１４の表示画像計算において、画像と紐付けされた姿勢情報は用いず、時刻情報に従ってマトリクス状にサムネイル表示を行う。画像表示の配置としては一般的なデジタルカメラと同じであるが、再生時に機器の姿勢情報を用いて上下左右の画像を閲覧することができるため、従来とは異なる感覚で画像閲覧を行うことができる。
【００５３】
次に、本発明の第４の実施の形態について説明する。
【００５４】
本実施の形態では、撮影と再生を同じ機器内で行うとは限らず、画像と姿勢データのセットをコンテンツとして配布する。多くの画像が広い範囲に存在する場合は、閲覧者が体の方向を変えることによりその場にいるような感覚を得ることができるため、魅力的なコンテンツとなる。
【００５５】
次に、本発明の第５の実施の形態について説明する。
【００５６】
本実施の形態では、データ再生機器にＧＰＳを内蔵し、撮影時に位置情報も画像と同時に記録し、再生時に、撮影時の姿勢だけでなく撮影場所と同じ位置でなければ再生できないという制限を追加する。このデータを第４の実施の形態のように配布することにより、ユーザを特定の場所に導くといった広告として利用することもできる。
【００５７】
なお、上述する各実施の形態は、本発明の好適な実施の形態であり、本発明の要旨を逸脱しない範囲内において種々変更実施が可能である。例えば、上記の実施の形態におけるデータ再生機器の機能を実現するためのプログラムを各部に読込ませて実行することにより本機器の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００５８】
上述する各実施の形態は、データ再生機器の各機能が１つのコンピュータシステムとして実現されているシステム構成について説明したが、機能毎に複数の装置などが追加された構成にも適用可能であることはもちろんである。
【００５９】
また、本発明は、携帯電話、デジタルカメラ、ＰＤＡなど、カメラと表示装置を搭載し、かつ、持ち運ぶことができるデジタル機器全般に適用可能である。また、データをコンテンツとして配布するというビジネスモデルにも適用可能である。なお、動画や静止画などの画像データのみでなく、音声データやテキストデータなどのすべてのデータを本発明の対象とする。
【図面の簡単な説明】
【００６０】
【図１】本発明の第１の実施形態におけるデータ再生機器の構成を示す図である。
【図２】本発明の第１の実施形態におけるデータ再生機器の姿勢を示す図である。
【図３】本発明の第１の実施形態における画面表示部分の中心に画像を表示させる状態を示す図である。
【図４】本発明の第１の実施形態におけるデータ再生機器の外観の例を示す図である。
【図５】本発明の第１の実施形態における画像撮影の処理動作を示すフローチャートである。
【図６】本発明の第１の実施形態における画像表示の処理動作を示すフローチャートである。
【符号の説明】
【００６１】
１０    演算回路
１１    カメラ
１２    カメラ制御部
１３    加速度センサ
１４    地磁気センサ
１５    センサ制御部
１６    キー操作部
１７    入力制御部
１８    表示部
１９    表示制御部
２０    記憶部
１０１    画像取得部
１０２    姿勢取得部
１０３    データ保存部
１０４    データ読出部
１０５    画像表示部
【図１】
2007208596.tif 000003
【図２】
2007208596.tif 000004
【図３】
2007208596.tif 000005
【図４】
2007208596.tif 000006
【図５】
2007208596.tif 000007
【図６】
2007208596.tif 000008